(57)【特許請求の範囲】
【請求項１】
同一映像を異なる解像度で放送するディジタル放送を受信して表示するディジタル放送受信装置であって、
高解像度映像および低解像度映像を含むディジタル放送電波を復調して、高解像度映像を含むＴＳ（Transport Stream）パケットおよび低解像度映像を含むＴＳパケットを出力する復調手段と、
前記ＴＳパケットに含まれるＰＣＲ（Program Clock Reference）から生成された内部クロックによって動作する内部カウンタと、
同一内容の映像を示す前記高解像度映像フレームと前記低解像度映像フレームとの表示タイミングの時間差を示すオフセット値に基づいて、前記内部カウンタのカウンタ値を前記オフセット値分遅らせた高解像度映像用カウンタ値を生成する遅延制御手段と、
前記低解像度映像を含むＴＳパケットをデコードして低解像度映像フレームを生成すると共に、生成した低解像度映像フレームに対応付けられてＴＳパケット内に格納されているＰＴＳ（Presentation Time Stamp）に基づいて、当該ＰＴＳの値と前記内部カウンタ値との差が所定値以内のときに、生成した低解像度映像フレームを出力する低解像映像デコーダと、
前記復調手段から出力された、高解像度映像を含むＴＳパケットを受け取ってＴＳパケットの状態で蓄積すると共に、前記遅延制御手段から前記オフセット値を受け取り、前記内部カウンタを参照して、蓄積しているＴＳパケットを前記オフセット値分遅延させて出力する高解像度映像バッファと、
前記高解像度映像バッファから出力されたＴＳパケットをデコードして高解像度映像フレームを生成すると共に、生成した高解像度映像フレームに対応付けられてＴＳパケット内に格納されているＰＴＳに基づいて、当該ＰＴＳの値と前記高解像度映像用カウンタ値との差が所定値以内のときに、生成した高解像度映像フレームを出力する高解像映像デコーダと、
予め定められた条件に従って、前記低解像映像デコーダによって出力された前記低解像度映像フレームおよび前記高解像度映像デコーダによって出力された前記高解像度映像フレームのいずれかを表示装置に表示する切替手段と、
前記オフセット値を、ディジタル放送を提供する放送事業者毎に格納するオフセットテーブルと、
前記オフセット値の調整をユーザから受け付ける入力手段と
を備え、
前記遅延制御手段は、
前記復調手段によって復調されたいずれかのＴＳパケットに含まれるＢＩＴ（Broadcaster Information Table）を参照して、現在受信しているディジタル放送の放送事業者を特定し、特定した放送事業者に対応するオフセット値を前記オフセットテーブルから抽出し、抽出したオフセット値に基づいて、前記高解像度映像用カウンタ値を生成し、
前記入力手段を介してユーザから前記オフセットの調整量を受け付けた場合に、受け付けた調整量に応じて現在適用しているオフセット値を調整し、調整したオフセット値で、現在受信しているディジタル放送の放送事業者に対応付けて前記オフセットテーブルに格納されているオフセット値を更新することを特徴とするディジタル放送受信装置。
【請求項２】
請求項１に記載のディジタル放送受信装置であって、
前記入力手段は、
前記オフセット値の調整処理の開始および終了の指示をさらにユーザから受け付け、
前記遅延制御手段は、
前記入力手段を介して前記調整処理の開始指示を受け付けた場合に、現在受信しているディジタル放送の放送事業者に対応するオフセット値に基づいて前記高解像度映像フレームを遅延させると共に、前記切替手段に指示して、前記高解像度映像フレームおよび前記低解像度映像フレームのそれぞれを、前記表示装置の画面を分割したそれぞれの領域に表示させ、
前記入力手段を介して前記オフセットの調整量を受け付けた場合に、受け付けた調整量に応じて現在適用しているオフセット値を調整し、調整したオフセット値に基づいて前記高解像度映像フレームを遅延させ、
前記入力手段を介して前記調整処理の終了指示を受け付けた場合に、直前に調整したオフセット値で、現在受信しているディジタル放送の放送事業者に対応付けて前記オフセットテーブルに格納されているオフセット値を更新することを特徴とするディジタル放送受信装置。
【請求項３】
請求項２に記載のディジタル放送受信装置であって、
前記切替手段は、
前記高解像度映像フレームを前記表示装置に表示させる場合に、前記高解像度映像フレームに対応付けられた音声を音声出力装置から出力させ、
前記低解像度映像フレームを前記表示装置に表示させる場合に、前記低解像度映像フレームに対応付けられた音声を前記音声出力装置から出力させ、
前記オフセット値の調整処理中に、前記遅延制御手段から、前記高解像度映像フレームおよび前記低解像度映像フレームのそれぞれを画面分割して表示するよう指示された場合には、前記高解像度映像フレームおよび前記低解像度映像フレームのそれぞれを、前記表示装置の画面を分割したそれぞれの領域に表示すると共に、前記高解像度映像フレームに対応付けられた音声および前記低解像度映像フレームに対応付けられた音声を前記音響出力装置に出力することを特徴とするディジタル放送受信装置。
【発明の詳細な説明】
【技術分野】
【０００１】
本発明は、同一の映像を異なる解像度で、１つの電波に多重化して放送するディジタル放送の受信装置に関する。
【背景技術】
【０００２】
最近開始された地上波ディジタル放送では、各放送局に割り当てられた伝送帯域を多数のセグメントに分割し、１つ以上のセグメントで構成した階層を複数同時に伝送する階層伝送が行われる。階層伝送では、階層を構成するセグメント数が多いほど、高解像度の映像を伝送できるが、車両等において移動中にストリームの誤り無く受信するのが困難になる。そこで、例えば、日本が準拠しているＩＳＤＢ−Ｔ方式では、１チャネルのディジタル放送用帯域を１３個のセグメントに分割し、その中の１２個のセグメントを使って固定受信装置向けに高解像度の映像を提供し、残りの１個のセグメントを使って伝送誤りに対する耐性の高い伝送方式による低解像度の映像を提供する。
【０００３】
これにより、家庭等に設置される固定受信装置によって、高解像度のディジタル放送を受信できると共に、携帯電話やＰＤＡ等の移動受信装置によって、低解像度ではあるが、移動中でも安定したディジタル放送の受信が可能となる。
【０００４】
しかし、車両に搭載されるナビゲーション装置等のように、移動体に搭載され、携帯電話やＰＤＡ等よりも比較的大きな画面を有する移動受信装置においてディジタル放送を受信して表示する場合には、移動中であっても可能な限り、１２個のセグメントを用いた高解像度の映像を表示したいという要望がある。
【０００５】
これを実現するために、例えば、特許文献１では、１２セグメントを用いて放送される高階層伝送情報をデコードしつつ、ディジタル放送用信号の受信誤り率（ビットエラーレート）を測定し、受信誤り率が所定の閾値を超えたときに、１セグメントを用いて送信される低階層伝送情報をデコードするようにしている。
【０００６】
【特許文献１】特開２００３−１４３５０３号公報
【発明の開示】
【発明が解決しようとする課題】
【０００７】
ところで、ディジタル放送の放送局は、映像フレームや音声信号、字幕情報、付属データ等の同時に表示すべき情報に、同一のＰＴＳ（Ｐｒｅｚｅｎｔａｔｉｏｎ  Ｔｉｍｅ  Ｓｔａｍｐ）を対応付けて送信し、受信機側では、同一のＰＴＳに対応付けられているデータを同時に表示することにより、映像に、音声やその他のデータを同期させて再生することが可能となる。
【０００８】
しかし、そのような仕組みは、高解像度映像および低解像度映像のそれぞれについて、映像とその他の情報とを同期させるための規定であり、同一の内容を示す高解像度映像フレームと低解像度映像フレームとを同期させることまでは規定されていない。つまり、同一の内容を示す高解像度映像フレームのＰＴＳと低解像度映像フレームのＰＴＳとが同一の値であるとは限らない。
【０００９】
そのため、受信機において、１２個のセグメントを用いる高解像度映像と１個のセグメントを用いる低解像度映像とを切り替えた場合に、映像および音声が不連続になってしまう場合がある。映像および音声が不連続になると、放送される情報の一部が欠落したり、同じ内容の情報が繰り返されたりする場合がある。特に、音楽を流すような番組では、高解像度映像と低解像度映像とを切り替えることにより発生する時間差がわずかであっても、それらの映像に同期している音声によりリズムにずれが生じ、視聴者に違和感を与える場合がある。
【００１０】
本発明は上記事情を鑑みてなされたものであり、本発明の目的は、高解像度映像と低解像度映像とを切り替える際の時間的なずれを少なくすることにある。
【課題を解決するための手段】
【００１１】
上記課題を解決するために、本発明のディジタル放送受信装置は、同一内容の映像を示す高解像度映像フレームと低解像度映像フレームとの表示タイミングの時間差を示すオフセット値に基づいて、表示タイミングの早い方のフレームを、当該オフセット値に対応する時間だけ遅延させて表示する。
【００１２】
例えば、本発明は、同一映像を異なる解像度で放送するディジタル放送を受信して表示するディジタル放送受信装置であって、
高解像度映像および低解像度映像を含むディジタル放送電波を復調して、高解像度映像を含むＴＳ（Transport Stream）パケットおよび低解像度映像を含むＴＳパケットを出力する復調手段と、
前記ＴＳパケットに含まれるＰＣＲ（Program Clock Reference）から生成された内部クロックによって動作する内部カウンタと、
同一内容の映像を示す前記高解像度映像フレームと前記低解像度映像フレームとの表示タイミングの時間差を示すオフセット値に基づいて、前記内部カウンタのカウンタ値を前記オフセット値分遅らせた高解像度映像用カウンタ値を生成する遅延制御手段と、
前記低解像度映像を含むＴＳパケットをデコードして低解像度映像フレームを生成すると共に、生成した低解像度映像フレームに対応付けられてＴＳパケット内に格納されているＰＴＳ（Presentation Time Stamp）に基づいて、当該ＰＴＳの値と前記内部カウンタ値との差が所定値以内のときに、生成した低解像度映像フレームを出力する低解像映像デコーダと、
前記復調手段から出力された、高解像度映像を含むＴＳパケットを受け取ってＴＳパケットの状態で蓄積すると共に、前記遅延制御手段から前記オフセット値を受け取り、前記内部カウンタを参照して、蓄積しているＴＳパケットを前記オフセット値分遅延させて出力する高解像度映像バッファと、
前記高解像度映像バッファから出力されたＴＳパケットをデコードして高解像度映像フレームを生成すると共に、生成した高解像度映像フレームに対応付けられてＴＳパケット内に格納されているＰＴＳに基づいて、当該ＰＴＳの値と前記高解像度映像用カウンタ値との差が所定値以内のときに、生成した高解像度映像フレームを出力する高解像映像デコーダと、
予め定められた条件に従って、前記低解像映像デコーダによって出力された前記低解像度映像フレームおよび前記高解像度映像デコーダによって出力された前記高解像度映像フレームのいずれかを表示装置に表示する切替手段と、
前記オフセット値を、ディジタル放送を提供する放送事業者毎に格納するオフセットテーブルと、
前記オフセット値の調整をユーザから受け付ける入力手段と
を備え、
前記遅延制御手段は、
前記復調手段によって復調されたいずれかのＴＳパケットに含まれるＢＩＴ（Broadcaster Information Table）を参照して、現在受信しているディジタル放送の放送事業者を特定し、特定した放送事業者に対応するオフセット値を前記オフセットテーブルから抽出し、抽出したオフセット値に基づいて、前記高解像度映像用カウンタ値を生成し、
前記入力手段を介してユーザから前記オフセットの調整量を受け付けた場合に、受け付けた調整量に応じて現在適用しているオフセット値を調整し、調整したオフセット値で、現在受信しているディジタル放送の放送事業者に対応付けて前記オフセットテーブルに格納されているオフセット値を更新することを特徴とするディジタル放送受信装置を提供する。
【発明の効果】
【００１５】
本発明のディジタル放送受信装置によれば、高解像度映像と低解像度映像とを切り替える際の時間的なずれを少なくすることができ、視聴者に与える表示上の違和感を低減することができる。
【発明を実施するための最良の形態】
【００１６】
以下に、本発明の第１の実施形態について、図面を参照しながら説明する。
【００１７】
図１は、本発明の第１の実施形態に係るディジタル放送受信システム１０の構成の一例を示す。ディジタル放送受信システム１０は、アンテナ１１、表示装置１２、およびディジタル放送受信装置２０を備える。ディジタル放送受信装置２０は、復調部２００、切替判定部２０１、分離処理部２０２、クロック同期部２０３、低解像度映像デコーダ２０４、ＴＳバッファ２０５、内部カウンタ２０６、遅延制御部２０７、高解像度映像デコーダ２０８、および切替部２０９を有する。
【００１８】
復調部２００は、ディジタル放送中継局から送信されるディジタル放送電波を、アンテナ１１を介して受信する。そして、復調部２００は、受信した信号を復調し、デインタリーブやデスクランブル、誤り検出・訂正処理等の処理を行って、高解像度映像を含むＴＳ（Ｔｒａｎｓｐｏｒｔ  Ｓｔｒｅａｍ）パケットと低解像度映像を含むＴＳパケットを出力する。
【００１９】
また、復調部２００は、アンテナ１１を介して受信したディジタル放送信号の受信品質を示す値を生成して切替判定部２０１へ送る。受信品質を示す値とは、例えば、現在受信しているディジタル放送電波の受信電界強度、当該ディジタル放送電波のＣＮＲ（Ｃａｒｒｉｅｒ  ｔｏ  Ｎｏｉｓｅ  ｒａｔｉｏ）、またはビットエラーレート等である。受信品質を示す値は、例えば高い値の場合に、ディジタル放送信号の受信状態が良好であることを示す。
【００２０】
復調部２００は、例えば、チューナ回路およびＯＦＤＭ受信回路から構成される。本実施形態の復調部２００は、１つのチューナ回路および１つのＯＦＤＭ受信回路から構成されている。また、他の実施形態として、復調部２００は、複数のチューナ回路および複数のＯＦＤＭ受信回路を有するダイバーシティ受信機能を有する構成であってもよい。
【００２１】
分離処理部２０２は、復調部２００から出力されたＴＳパケットのヘッダ情報に格納されたＩＤ（ＰＩＤ）に基づいて、ＴＳパケットの中から、高解像度映像を含むＴＳパケットおよび低解像度映像を含むＴＳパケットを分離し、高解像度映像を含むＴＳパケットをＴＳバッファ２０５に、低解像度映像を含むＴＳパケットを低解像度映像デコーダ２０４に、それぞれ供給する。また、分離処理部２０２は、復調部２００から出力されたＴＳパケットをクロック同期部２０３に供給する。
【００２２】
クロック同期部２０３は、それぞれのＴＳパケット内に格納されたＰＣＲ（Ｐｒｏｇｒａｍ  Ｃｌｏｃｋ  Ｒｅｆｅｒｅｎｃｅ）に基づいて、当該ＰＣＲに同期した２７ＭＨｚの内部クロックを生成する。内部カウンタ２０６は、クロック同期部２０３が生成した内部クロックに同期して動作するカウンタであり、生成した内部カウンタ値を低解像度映像デコーダ２０４、ＴＳバッファ２０５、および遅延制御部２０７に供給する。
【００２３】
なお、本実施形態において、クロック同期部２０３は、高解像度映像に対応付けられたＰＣＲに基づいて内部クロックを生成する。また、他の実施形態として、低解像度映像に対応付けられたＰＣＲに基づいて内部クロックを生成してもよい。
【００２４】
遅延制御部２０７は、同一内容、すなわち解像度が異なるが略同一の画像である高解像度映像フレームと低解像度映像フレームとの表示タイミングの時間差を示すオフセット（Ｔｄ）の値を保持しており、当該オフセット値をＴＳバッファ２０５に通知する。また、遅延制御部２０７は、内部カウンタ２０６が生成した内部カウンタ値を、当該オフセット値分だけ遅れた値に書き換えて高解像度映像デコーダ２０８に供給する。なお、本実施形態において、遅延制御部２０７は、予め設定されたオフセット値を保持しているものとする。
【００２５】
ＴＳバッファ２０５は、高解像度映像を含むＴＳパケットを分離処理部２０２から受信した場合に、受け取ったＴＳパケットを、遅延制御部２０７から受け取ったオフセット値分だけ遅延させて高解像度映像デコーダ２０８へ出力する。ＴＳバッファ２０５は、例えば、内部カウンタ２０６から供給されている内部カウンタ値を参照して、当該ＴＳパケットを受信した時刻における内部カウンタ値を特定し、特定した内部カウンタ値に、遅延制御部２０７から取得したオフセット値を加えた新たな内部カウンタ値を算出する。そして、ＴＳバッファ２０５は、内部カウンタ２０６から受信している内部カウンタ値が、算出した新たな内部カウンタ値と一致した場合に、保持しているＴＳパケットを高解像度映像デコーダ２０８へ出力する。
【００２６】
なお、ＴＳバッファ２０５の容量Ｓ（ｂｉｔｓ）は、オフセットＴｄ（ｓｅｃ）と、高解像度映像ストリームのデータレートＲ（ｂｉｔ／ｓｅｃ）とを用いて、例えば以下の条件を満足するように定められることが好ましい。
Ｓ≧Ｔｄ×Ｒ
【００２７】
高解像度映像デコーダ２０８は、ＴＳバッファ２０５から出力されたＴＳパケットをつなぎ合わせてビデオＰＥＳ（Ｐａｃｋｅｔｉｚｅｄ  Ｅｌｅｍｅｎｔａｒｙ  Ｓｔｒｅａｍ）を構築し、構築したビデオＰＥＳから高解像度映像フレームを生成する。また、高解像度映像デコーダ２０８は、高解像度映像に対応する音声データを含むＴＳパケットからオーディオＰＥＳを構築し、構築したオーディオＰＥＳから音声データを生成する。また、高解像度映像デコーダ２０８は、構築したＰＥＳから、生成した高解像度映像フレームおよび音声データに対応するＰＴＳ（Ｐｒｅｚｅｎｔａｔｉｏｎ  Ｔｉｍｅ  Ｓｔａｍｐ）を抽出する。
【００２８】
そして、高解像度映像デコーダ２０８は、遅延制御部２０７から供給された、内部カウンタ値をオフセット値分だけ遅延させた内部カウンタ値と、抽出したＰＴＳとを比較する。そして、抽出したＰＴＳの値とオフセット値分だけ遅延させた内部カウンタ値との差が所定値以内の場合に、高解像度映像デコーダ２０８は、生成した高解像度映像フレームおよび音声データを切替部２０９へ出力する。
【００２９】
低解像度映像デコーダ２０４は、分離処理部２０２から供給された、低解像度映像を含むＴＳパケットをつなぎ合わせてビデオＰＥＳを構築し、構築したビデオＰＥＳから低解像度映像フレームを生成する。また、低解像度映像デコーダ２０４は、低解像度映像に対応する音声データを含むＴＳパケットからオーディオＰＥＳを構築し、構築したオーディオＰＥＳから音声データを生成する。また、低解像度映像デコーダ２０４は、構築したＰＥＳから、生成した低解像度映像フレームおよび音声データに対応するＰＴＳを抽出する。
【００３０】
そして、低解像度映像デコーダ２０４は、抽出したＰＴＳと内部カウンタ２０６から供給された内部カウンタ値とを比較して、当該ＰＴＳの値と当該内部カウンタ値との差が所定値以内の場合に、生成した低解像度映像フレームおよび音声データを切替部２０９へ出力する。なお、本実施形態では、高解像度映像フレームのＰＴＳの値は、低解像度映像フレームのＰＴＳの値よりも、表示タイミングが時間的に先になるような値に設定されて放送されているものとする。
【００３１】
切替判定部２０１は、ディジタル放送信号の受信品質が、予め定められた閾値以上の場合に、高解像度映像フレームを表示装置１２に表示させる旨を切替部２０９に指示する。また、切替判定部２０１は、受信品質が閾値未満の場合に、低解像度映像フレームを表示装置１２に表示させる旨を切替部２０９に指示する。
【００３２】
切替部２０９は、切替判定部２０１から高解像度映像フレームを表示装置１２に表示させる旨を指示された場合に、高解像度映像デコーダ２０８が出力した高解像度映像フレームを表示装置１２に表示すると共に、当該高解像度映像フレームに対応する音声データを図示しない音声出力装置に出力させる。また、切替判定部２０１から低解像度映像フレームを表示装置１２に表示させる旨を指示された場合に、切替部２０９は、低解像度映像デコーダ２０４が出力した低解像度映像フレームを表示装置１２に表示すると共に、当該低解像度映像フレームに対応する音声データを図示しない音声出力装置に出力させる。
【００３３】
このように、ディジタル放送電波の受信品質が所定品質よりも良い場合に、高解像度映像フレームを表示し、ディジタル放送信号の受信品質が所定の品質よりも悪い場合に、低解像度映像フレームを表示することにより、ディジタル放送受信装置２０は、受信品質が変動しても、サイマル放送により放送されている番組を表示し続けることができる。
【００３４】
しかし、解像度が異なるが略同一の画像である高解像度映像フレームと低解像度映像フレームとは、同一の値のＰＴＳに対応付けられているとは限らない。そのため、ディジタル放送受信装置２０が受信品質に応じて表示するフレームを切り替えるのみの処理を行うとすれば、番組内容の連続性が失われ、視聴者に違和感を与える場合がある。
【００３５】
これに対して、本実施形態のディジタル放送受信装置２０は、同一内容の高解像度映像フレームおよび低解像度映像フレームのうち、表示タイミングが時間的に先のフレームを、両フレームの時間差であるオフセット値分遅延させることにより、高解像度映像フレームと低解像度映像フレームとを切り替えた場合の番組の連続性を保つことができる。従って、本実施形態のディジタル放送受信装置２０は、受信品質が変動しても、サイマル放送により放送されている番組を適切に表示し続けることができる。
【００３６】
また、ディジタル放送受信装置２０は、表示タイミングが時間的に先のフレームを遅延させる際に、表示タイミングが先のフレームのデータを、オフセット値に対応する期間保持する必要がある。特に、本実施形態のように、高解像度映像フレームの表示タイミングが時間的に先の場合、バッファに保持すべきデータ量が膨大になる場合がある。それに対して、本実施形態のディジタル放送受信装置２０は、表示タイミングが先のフレームのデータを、映像フレームに展開する前のＴＳパケットの状態で保持する。これにより、必要な記憶容量を少なくすることができ、ディジタル放送受信装置２０を小型にすることができると共に、ディジタル放送受信装置２０にかかる部品コストを低く抑えることができる。
【００３７】
なお、切替部２０９は、高解像度映像デコーダ２０８から出力されたフレームを表示装置１２に表示させている間に、低解像度映像デコーダ２０４から出力されたフレームを表示装置１２に表示させるよう切替判定部２０１から指示された場合、当該指示を受け付けた時刻からオフセット値に対応する時間が経過した時刻に、表示装置１２に表示するフレームを低解像度映像デコーダ２０４から出力されたフレームへ切り替えるようにすると共に、低解像度映像デコーダ２０４から出力されたフレームを表示装置１２に表示させている間に、高解像度映像デコーダ２０８から出力されたフレームを表示装置１２に表示させるよう切替判定部２０１から指示された場合に、当該指示を受け付けた時刻からオフセット値に対応する時間が経過した時刻に、表示装置１２に表示するフレームを高解像度映像デコーダ２０８から出力されたフレームに切り替えるようにしてもよい。
【００３８】
図２および図３は、同一内容を示す高解像度映像フレームと低解像度映像フレームとの表示タイミングのずれを説明するための概念図である。本図にでは、低解像度映像フレームのフレームレートは、高解像度映像フレームのフレームレートの半分の場合の例を示している。また、本図では、高解像度映像フレームの表示タイミングが、低解像度映像フレームの表示タイミングよりも時間的に先である例を示している。
【００３９】
図２に示すように、高解像度映像フレームには、表示タイミングが、３００から３０４となるようなＰＴＳが設定されており、低解像度映像フレームには、表示タイミングが、３１０から３１４となるようなＰＴＳが設定されている。解像度は異なるが同一の画像である高解像度映像フレーム３００と低解像度映像フレーム３１０との表示タイミングの時間差は、オフセットＴｄとなる。同様に、高解像度映像フレーム３０２と低解像度映像フレーム３１２、および、高解像度映像フレーム３０４と低解像度映像フレーム３１４との表示タイミングの時間差も、オフセットＴｄとなる。
【００４０】
ＴＳバッファ２０５は、受信した高解像度映像を含むＴＳパケットを、オフセットＴｄだけ遅延させる。しかし、遅延させただけでは、高解像度映像フレームに対応付けられたＰＴＳの値が変わらないので、そのままであると、ＴＳバッファ２０５から出力されたＴＳパケットに基づいて生成された高解像度映像フレームおよび音声データは、高解像度映像デコーダ２０８から出力されること無く破棄されてしまう。
【００４１】
そこで、遅延制御部２０７は、高解像度映像デコーダ２０８に供給する内部クロックをオフセットＴｄだけ遅延させた値に書き換えて供給する。これにより、高解像度映像デコーダ２０８は、ＴＳバッファ２０５によって遅延させられたＴＳパケットに基づいて生成された高解像度映像フレームを、ＰＴＳによって指定された表示タイミングよりもオフセットＴｄだけ遅れた時刻に出力することができる。
【００４２】
これにより、切替部２０９は、図３に示すように、解像度は異なるが同一の画像である高解像度映像フレーム３００と低解像度映像フレーム３１０、高解像度映像フレーム３０２と低解像度映像フレーム３１２、および、高解像度映像フレーム３０４と低解像度映像フレーム３１４とを、略同一のタイミングで受け取ることができる。従って、ディジタル放送受信装置２０は、高解像度映像フレームと低解像度映像フレームとを切り替えた場合の番組の連続性を適切に保つことができる。
【００４３】
以上、本発明の第１の実施形態について説明した。
【００４４】
上記説明から明らかなように、本発明のディジタル放送受信装置２０によれば、高解像度映像フレームと低解像度映像フレームとを切り替える際の時間的なずれを少なくすることができ、視聴者に与える表示上の違和感を低減することができる。
【００４５】
なお、本発明は上記の実施形態に限定されるものではなく、その要旨の範囲内で数々の変形が可能である。
【００４６】
以下に、本発明の第２の実施形態について説明する。
【００４７】
図４は、本発明の第２の実施形態に係るディジタル放送受信システム１０の構成の一例を示す。なお、以下に説明する点を除き、図４において、図１と同じ符号を付した構成は、図１における構成と同一または同様の機能および構成を有するため説明を省略する。
【００４８】
ディジタル放送受信装置２０は、オフセットテーブル２１０をさらに有する。オフセットテーブル２１０は、同一内容の高解像度映像フレームと低解像度映像フレームとの時間差であるオフセット値を、ディジタル放送を提供する放送事業者の識別情報に対応付けて格納する。
【００４９】
分離処理部２０２は、復調部２００から出力されたＴＳパケットのヘッダ情報に格納されたＩＤ（ＰＩＤ）に基づいて、ＴＳパケットの中から、ＢＩＴ（Ｂｒｏａｄｃａｓｔｅｒ  Ｉｎｆｏｒｍａｔｉｏｎ  Ｔａｂｌｅ）を含むＴＳパケットをさらに抽出して遅延制御部２０７に供給する。
【００５０】
遅延制御部２０７は、分離処理部２０２から供給されたＴＳパケットからＢＩＴを取り出し、取り出したＢＩＴから、現在受信しているディジタル放送の放送事業者の識別情報を抽出する。そして、遅延制御部２０７は、オフセットテーブル２１０を参照して、抽出した放送事業者の識別情報に対応するオフセット値を取得する。
【００５１】
放送事業者が異なると、放送に使用している機器や、ＰＴＳの割り当て規則が異なる場合がある。これに対して、本実施形態のディジタル放送受信装置２０は、放送事業者毎のオフセット値を予め格納し、ディジタル放送を実際に受信しているときに、対応するオフセット値を用いて、表示タイミングが時間的に先のフレームを遅延させる。これにより、本実施形態のディジタル放送受信装置２０は、放送事業者が異なる場合であっても、高解像度映像フレームと低解像度映像フレームとを切り替える際の時間的なずれを精度よく補正することができる。
【００５２】
図５は、オフセットテーブル２１０に格納されるデータの構造の一例を示す。オフセットテーブル２１０は、オフセット値２１０１を、それぞれの放送事業者を識別する放送事業者ＩＤ２１００に対応付けて格納している。オフセットテーブル２１０を参照することにより、遅延制御部２０７は、現在受信しているディジタル放送の放送事業者に対応するオフセット値を取得することができる。
【００５３】
また、他の例として、オフセットテーブル２１０は、同一の放送事業者の中で、さらに番組毎にオフセット値を格納してもよい。これにより、放送局側でリアルタイムエンコーディングを行なうことにより、高解像度映像と低解像度映像との間の処理遅延の違いに起因する表示タイミングのずれが起こる生中継や、予めエンコードした映像ストリームを放送することができる録画放送等によって表示タイミングのずれ量が異なる場合であっても、ディジタル放送受信装置２０は、そのずれを適切に補正することができる。
【００５４】
以上、本発明の第２の実施形態について説明した。
【００５５】
次に、本発明の第３の実施形態について説明する。
【００５６】
図６は、本発明の第３の実施形態に係るディジタル放送受信システム１０の構成の一例を示す。なお、以下に説明する点を除き、図６において、図４と同じ符号を付した構成は、図４における構成と同一または同様の機能および構成を有するため説明を省略する。
【００５７】
ディジタル放送受信システム１０は、リモコン１３をさらに備える。リモコン１３は、例えば図７に示すような構成であり、−ボタン１３０、＋ボタン１３１、開始ボタン１３２、および終了ボタン１３３を有する。リモコン１３は、開始ボタン１３２が押下された場合に、オフセット値の調整を行なうオフセット調整処理の開始指示を、赤外線や電波等の無線通信を用いてディジタル放送受信装置２０に通知する。
【００５８】
また、＋ボタン１３１または−ボタン１３０が押下された場合、リモコン１３は、オフセット値を増加させる旨の指示または減少させる旨の指示を、無線通信を用いてディジタル放送受信装置２０へ通知する。また、終了ボタン１３３が押下された場合、リモコン１３は、オフセット調整処理の終了指示を、無線通信を用いてディジタル放送受信装置２０に通知する。
【００５９】
ディジタル放送受信装置２０は、受信部２１１をさらに有する。受信部２１１は、無線通信を用いて、ユーザからの指示をリモコン１３から受信し、受信した指示を遅延制御部２０７へ送る。
【００６０】
遅延制御部２０７は、受信部２１１を介して、オフセット調整処理の開始指示を受け付けた場合、現在受信しているディジタル放送の放送事業者に対応するオフセット値をオフセットテーブル２１０から読み出し、読み出したオフセット値に基づいてＴＳバッファ２０５および高解像度映像デコーダ２０８を制御して、高解像度映像フレームを遅延させる。
【００６１】
そして、遅延制御部２０７は、切替部２０９に指示して、高解像度映像デコーダ２０８から出力された高解像度映像フレームおよび低解像度映像デコーダ２０４から出力された低解像度映像フレームのそれぞれを、表示装置１２の画面を分割したそれぞれの領域に、図８に示すように表示させる。
【００６２】
図８に示すように、画面４０には、高解像度映像デコーダ２０８から出力された高解像度映像フレームが表示される高解像度映像フレーム表示領域４１、低解像度映像デコーダ２０４から出力された低解像度映像フレームが表示される低解像度映像フレーム表示領域４２、およびオフセット値の調整量を示すオフセット調整量表示領域４３が表示される。オフセット調整量表示領域４３には、調整前のオフセット値の位置である目盛４４および調整後のオフセット値の位置を示す調整量インジケータ４５が表示される。
【００６３】
受信部２１１を介して、オフセット値を増加させる旨の指示または減少させる旨の指示を受け付けた場合、遅延制御部２０７は、受け付けた指示に応じて、ＴＳバッファ２０５および高解像度映像デコーダ２０８に現在適用しているオフセット値を所定量だけ増加または減少させることにより当該オフセット値を調整し、調整したオフセット値に基づいて、ＴＳバッファ２０５および高解像度映像デコーダ２０８を制御して、高解像度映像フレームを遅延させる。
【００６４】
そして、受信部２１１を介して、オフセット調整処理の終了指示を受け付けた場合、遅延制御部２０７は、直前に調整したオフセット値で、現在受信しているディジタル放送の放送事業者に対応付けてオフセットテーブル２１０に格納されているオフセット値を更新する。
【００６５】
なお、オフセット値の調整処理中において、切替部２０９は、高解像度映像フレームおよび低解像度映像フレームのそれぞれに対応付けられている音声を、図示しない音声出力装置を介して再生することが好ましい。これにより、ユーザは、高解像度映像フレームおよび低解像度映像フレームのそれぞれに対応付けられている音声を聞きながら高解像度映像フレームと低解像度映像フレームとの表示タイミングのずれを調節することができ、高解像度映像フレームと低解像度映像フレームとの表示タイミングのずれをより精度よく補正することができる。
【００６６】
図９は、第３の実施形態に係るディジタル放送受信装置２０の動作の一例を示すフローチャートである。例えば、ディジタル放送の受信を開始することにより、ディジタル放送受信装置２０は、本フローチャートに示す処理を開始する。
【００６７】
まず、ディジタル放送受信装置２０は、通常動作モードで動作する（Ｓ１００）。通常動作モードでは、低解像度映像デコーダ２０４が、ＴＳパケットから低解像度映像フレームを生成して切替部２０９へ出力し、高解像度映像デコーダ２０８が、高解像度映像フレームを切替部２０９へ出力し、切替部２０９が切替判定部２０１の指示に従って表示装置１２に表示させる映像フレームを、高解像度映像フレームと低解像度映像フレームとで切り替える処理を行う。
【００６８】
次に、遅延制御部２０７は、受信部２１１を介して、リモコン１３の開始ボタン１３２が押下されたか否かを判定する（Ｓ１０１）。開始ボタン１３２が押下されていない場合（Ｓ１０１：Ｎｏ）、遅延制御部２０７は、開始ボタン１３２が押下されるまでステップ１０１を繰り返す。
【００６９】
開始ボタン１３２が押下された場合（Ｓ１０１：Ｙｅｓ）、遅延制御部２０７は、オフセット値調整モードへ移行する（Ｓ１０２）。ステップ１０２では、遅延制御部２０７は、切替部２０９に指示して、高解像度映像デコーダ２０８から出力された高解像度映像フレームおよび低解像度映像デコーダ２０４から出力された低解像度映像フレームのそれぞれを、表示装置１２の画面を分割したそれぞれの領域に、図８に示すように表示させる。
【００７０】
そして、遅延制御部２０７は、＋ボタン１３１または−ボタン１３０が押下されたか否かを判定する（Ｓ１０３）。押下されていない場合（Ｓ１０３：Ｎｏ）、遅延制御部２０７は、ステップ１０７に示す処理を行なう。＋ボタン１３１または−ボタン１３０が押下された場合（Ｓ１０３：Ｙｅｓ）、押下されたのが＋ボタン１３１であるならば（Ｓ１０４：Ｙｅｓ）、遅延制御部２０７は、現在のオフセッ値を所定量だけ増加させた新たなオフセット値を算出し、算出したオフセット値を用いて高解像度映像フレームを遅延させる（Ｓ１０５）。
【００７１】
押下されたのが−ボタン１３０である場合（Ｓ１０４：Ｎｏ）、遅延制御部２０７は、現在のオフセッ値を所定量だけ減少させた新たなオフセット値を算出し、算出したオフセット値を用いて高解像度映像フレームを遅延させる（Ｓ１０６）。そして、遅延制御部２０７は、終了ボタン１３３が押下されたか否かを判定する（Ｓ１０７）。終了ボタン１３３が押下されていない場合（Ｓ１０７：Ｎｏ）、遅延制御部２０７は、再びステップ１０３に示した処理を行なう。
【００７２】
終了ボタン１３３が押下された場合（Ｓ１０７：Ｙｅｓ）、遅延制御部２０７は、通常動作モードへの移行処理を行い（Ｓ１０８）、ディジタル放送受信装置２０は、再びステップ１００に示した処理を行なう。ステップ１０８では、遅延制御部２０７は、直前に調整したオフセット値で、現在受信しているディジタル放送の放送事業者に対応付けてオフセットテーブル２１０に格納されているオフセット値を更新する処理、切替部２０９に指示して、切替判定部２０１からの指示に従って、高解像度映像デコーダ２０８が出力した高解像度映像フレームおよび低解像度映像デコーダ２０４が出力した低解像度映像フレームのいずれかを表示装置１２に表示させる処理等を行う。
【００７３】
以上、本発明の第３の実施形態について説明した。
【００７４】
次に、本発明の第４の実施形態について説明する。
【００７５】
図１０は、本発明の第４の実施形態に係るディジタル放送受信システム１０の構成の一例を示す。なお、以下に説明する点を除き、図１０において、図１と同じ符号を付した構成は、図１における構成と同一または同様の機能および構成を有するため説明を省略する。
【００７６】
ディジタル放送受信装置２０は、復調部２００、切替判定部２０１、分離処理部２０２、クロック同期部２０３、低解像度映像デコーダ２０４、ＴＳバッファ２０５、内部カウンタ２０６、切替部２０９、オフセット値格納部２２０、フレーム復号化部２２１、ＰＴＳ変更部２２２、フレームバッファ２２３、およびフレーム出力部２２４を有する。
【００７７】
オフセット値格納部２２０は、同一内容の高解像度映像フレームと低解像度映像フレームとのオフセット値を保持しており、当該オフセット値をＴＳバッファ２０５に通知する。
【００７８】
フレーム復号化部２２１は、ＴＳバッファ２０５から出力されたＴＳパケットをつなぎ合わせてビデオＰＥＳを構築し、構築したビデオＰＥＳから高解像度映像フレームを生成する。また、フレーム復号化部２２１は、高解像度映像に対応する音声データを含むＴＳパケットからオーディオＰＥＳを構築し、構築したオーディオＰＥＳから音声データを生成する。また、フレーム復号化部２２１は、構築したＰＥＳから、生成した高解像度映像フレームに対応するＰＴＳを抽出し、生成した高解像度映像フレームおよび音声データを、抽出したＰＴＳと共にフレームバッファ２２３に格納する。
【００７９】
ＰＴＳ変更部２２２は、フレームバッファ２２３に新たに高解像度映像フレームが格納された場合に、当該高解像度映像フレームと共に格納されたＰＴＳを読み出す。そして、ＰＴＳ変更部２２２は、オフセット値格納部２２０からオフセット値を読み出し、フレームバッファ２２３から読み出したＰＴＳを、オフセット値格納部２２０から読み出したオフセット値に対応する時間分遅延させた値に変更し、変更したＰＴＳで、フレームバッファ２２３内の対応するＰＴＳを更新する。
【００８０】
フレーム出力部２２４は、フレームバッファ２２３に格納されているＰＴＳに基づいて、内部カウンタ２０６が出力する内部カウンタ値との差が所定値以内のＰＴＳに対応付けられている高解像度映像フレームおよび音声データを、切替部２０９へ出力する。
【００８１】
以上、本発明の第４の実施形態について説明した。
【００８２】
なお、本発明は上記において説明した実施形態に限られない。
【００８３】
例えば、高解像度映像フレームと低解像度映像フレームとの画像の相関係数を測定し、当該相関係数が所定値以上のフレームを、解像度が異なるが略同一の画像であると判定し、判定した映像フレームの表示タイミングの差をオフセット値として自動的に格納するようにしてもよい。この場合、算出したオフセット値分、表示タイミングが異なる複数の他の高解像度映像フレームおよび低解像度映像フレームの組み合わせについても、画像の相関係数を算出し、算出した相関係数が所定値以上となることを検証した後に、当該オフセット値を格納することが好ましい。
【００８４】
また、上記した実施形態では、同一内容の高解像度映像フレームおよび低解像度映像フレームにおいて、高解像度映像フレームの表示タイミングが時間的に先の場合を例に説明したが、本発明はこれに限られず、低解像度映像フレームの表示タイミングが時間的に先の場合にも、本発明の機能を適用することができる。この場合、ディジタル放送受信装置２０は、分離処理部２０２と低解像度映像デコーダ２０４との間に、オフセット値に対応する時間だけ低解像度映像を含むＴＳパケットを遅延させるバッファを設けると共に、遅延制御部２０７に、オフセット値分だけ遅延させた内部クロックを低解像度映像デコーダ２０４へ供給させるようにする。
【００８５】
また、上記した実施形態では、表示タイミングが時間的に先の映像を、ＴＳパケットのままで保持する構成を例に説明したが、本発明はこれに限られない。例えば、メモリに余裕がある場合には、ディジタル放送受信装置２０は、ＴＳパケットから高解像度映像フレームを生成するブロック、および、ＴＳパケットから低解像度映像フレームを生成するブロックの中で、表示タイミングが先のフレームを出力する方に、内部クロックをオフセット値分だけ遅延させたクロックを供給するようにしてもよい。このようにしても、ディジタル放送受信装置２０は、表示タイミングが先のフレームをオフセット分だけ遅延させることができる。
【図面の簡単な説明】
【００８６】
【図１】本発明の第１の実施形態に係るディジタル放送受信システム１０の構成の一例を示す。
【図２】同一内容を示す高解像度映像フレームと低解像度映像フレームとの表示タイミングのずれを説明するための概念図である。
【図３】同一内容を示す高解像度映像フレームと低解像度映像フレームとの表示タイミングのずれを説明するための概念図である。
【図４】本発明の第２の実施形態に係るディジタル放送受信システム１０の構成の一例を示す。
【図５】オフセットテーブル２１０に格納されるデータの構造の一例を示す。
【図６】本発明の第３の実施形態に係るディジタル放送受信システム１０の構成の一例を示す。
【図７】リモコン１３の構成の一例を示す。
【図８】オフセットの調整を行う場合に表示装置１２に表示される画面４０の一例を示す。
【図９】第３の実施形態に係るディジタル放送受信装置２０の動作の一例を示すフローチャートである。
【図１０】本発明の第４の実施形態に係るディジタル放送受信システム１０の構成の一例を示す。
【符号の説明】
【００８７】
１０・・・ディジタル放送受信システム、１１・・・アンテナ、１２・・・表示装置、１３・・・リモコン、１３０・・・−ボタン、１３１・・・＋ボタン、１３２・・・開始ボタン、１３３・・・終了ボタン、２０・・・ディジタル放送受信装置、２００・・・復調部、２０１・・・切替判定部、２０２・・・分離処理部、２０３・・・クロック同期部、２０４・・・低解像度映像デコーダ、２０５・・・ＴＳバッファ、２０６・・・内部カウンタ、２０７・・・遅延制御部、２０８・・・高解像度映像デコーダ、２０９・・・切替部、２１０・・・オフセットテーブル、２１００・・・放送事業者ＩＤ、２１０１・・・オフセット値、２１１・・・受信部、２２０・・・オフセット値格納部、２２１・・・フレーム復号化部、２２２・・・ＰＴＳ変更部、２２３・・・フレームバッファ、２２４・・・フレーム出力部、３００、３０１、３０２、３０３、３０４・・・高解像度映像フレーム、３１０、３１２、３１４・・・低解像度映像フレーム、４０・・・画面、４１・・・高解像度映像フレーム表示領域、４２・・・低解像度映像フレーム表示領域、４３・・・オフセット調整量表示領域、４４・・・目盛、４５・・・調整量インジケータ
【図１】
0004616121.tif 000002
【図２】
0004616121.tif 000003
【図３】
0004616121.tif 000004
【図４】
0004616121.tif 000005
【図５】
0004616121.tif 000006
【図６】
0004616121.tif 000007
【図７】
0004616121.tif 000008
【図８】
0004616121.tif 000009
【図９】
0004616121.tif 000010
【図１０】
0004616121.tif 000011